(57)【要約】【課題】お札を入れるお札袋の裏面部を活用し、神棚に使用する神殿機能を設けた、神棚付きお札袋を提供する。【解決手段】お札を入れるお札袋を、自宅等に持ち帰り、直ちに、お札袋の裏面が、神棚として用いる事が出来る神殿部付きの構造となる神棚機能を設けた、神棚付きお札袋である。お札袋本体部（１）の裏面に神殿の神棚機能とする鳥居部（３）を設けるお札（４）が鳥居の内側に奉る事が出来る様に、鳥居部（３）の上部から鳥居内側にお札を差し込む事が出来る空間部を設ける。また鳥居内の一部に窓を開けした切抜き窓部（６）を設け、お札の文字を読みやすくした。お札袋本体部（１）の上部に神社の屋根を表現する屋根部（７）を設け、更に、吊り穴（５）を設けた。以上の如く、お札袋本体部（１）裏側面に神棚神殿部を表現する鳥居（３）を設け、お札を奉る事が出来る、神棚付きお札袋。【選択図】  図７
2004208988.tif 000002
【特許請求の範囲】
【請求項１】
神社、寺院で販売するお札を入れる紙袋（１）で、そのお札袋本体部（１）の裏面にお札（４）を奉れる神棚となる神殿部（３）を設けた、神棚付きお札袋。
【請求項２】
お札袋本体部（１）に、神社及び仏閣で用いる鳥居等の象徴物や、建築物等をイメージデザインし、表現した絵を描き、又は、写真等を用いて、お札袋本体部（１）に印刷、又は、貼り付け神棚とするお札袋。
【発明の詳細な説明】
【０００１】
【発明の属する技術分野】
この発明は、神社で古くからお札を入れ、参拝者に、お札を販売する際に用いるお札袋の裏面に、鳥居形状にデザインした神棚となる神殿部を設け、お札を神殿部の鳥居内に奉れる神棚付きお札袋を発明した。昔から、お札を単に入れ、販売する目的だけに用いる、お札袋がある。しかし、現代は、神社のお札を粗末に扱い、お札を画鋲や糊で壁や冷蔵庫の壁面等に貼る人が多い事から、神棚を急ぎ普及する必要がある。その事から、お札袋の役目だけで使われて来た、従来の使い方から、お札袋に神棚の機能を加え、一つの袋で、表面の従来型用途の紙袋の役目と、紙袋の裏面を使い分けて、新たに、神棚を袋裏面部に形成し、お札を奉る事が出来る、鳥居形状の神殿部を設ける事で、神棚付きのお札袋を発明した。
従来から、神社が、お札を入れ販売するお札袋は、白色の袋で、表面は、主に紋章  神社名、神社の角印を押した表示をするものが多い。そのお札袋の従来からの仕組みを袋の表面に活かし、且つ、裏面に、神棚を設ける、一つの袋に二つの機能を一体に持たせる事で、環境資源を守り節約出来る。且つ、お札を買う際に、従来から、必ずお札を入れる袋として、このお札袋が必要である。
そのお札袋が簡易神棚に変身出来る神棚付きお札袋となる事で神棚を持たない人が、別に神棚を購入するお金の必要が無くなると同時に、お札を入れる袋と神棚が一体で購入出来、神棚の普及が急速に普及出来ると考えた。
その為に、壁や冷蔵庫等の壁面にお札を糊や画鋲等で止める事も無くなり、狭い部屋でも簡単にお札を余計な費用を掛けずに奉る事が出来る。核家族化した家庭や、少子化や洋風化した現代の建築で、和室を持たない家庭での神棚として、社会に役立つ簡易神棚となり、手軽に何処でもお札を大切に奉る事が出来る。神棚付きお札袋に関するものである。
【０００２】
【従来の技術】
従来から、神社はお札を参拝者に販売する為に、紙袋を使用して、お札のみを、単に袋に入れ、お札を購入する人に、お札をお札袋に入れ渡している。これらの袋は、白い長方形の紙袋で、袋の表面に、神社名や神社の紋所、大きな四角い神社印を押したお札袋を用いている。
当然ながら裏面は、何も書かない白色の袋か、神社により、お札の奉り方等が書かれている程度である。これらは、単に、神社でお札を買った参拝者が、お札を汚す事無く、家に持ちかえる目的でお札を入れる和紙や白色の紙袋を用いている。
その事から、従来の技術は、お札のサイズに合わせた、長方形の縦位置の封筒型の単なるお札を入れる目的だけに用いる白色の紙袋である。
【０００３】
【発明が解決しようとする課題】
これらは、次のような問題点があった。
近年は、少子化が進み、核家族化する傾向があり、さらに、建築の洋風化で、各家庭に和室が少なく、大きな神棚を奉る場所が少なくなっている。そのために、お札を画鋲で止めたり、糊で壁等に貼る家庭が多くなった。従い、神様としてのお札を奉る所がない等、昔からの家に取り付けられた大きな神棚では現代は不適当である事がわかった。従い、このままでは神棚を一般家庭に増やす事が簡単に出来ない事が解かり、普及に大きな問題があった。そこで、平成１１年１２月２７日出願した特開２００１−１８６９８１に記した、お札ケース機能付き祈願神棚の趣旨と同一であるが、このお札ケース機能付き祈願神棚は、簡易神棚として、神社がお札を販売する際に、参拝者が神社のお札を買い、更に、別途、料金を簡易神棚とする為に、お札ケース機能付き神棚を購入する必要がある。従い、神棚機能やお札を奉る目的は同じであるが、お札袋は、昔から神社がお札を入れるサービス的包装紙的感覚で用いている袋であり、単に、袋として用いている袋である。従い、このサービス的白い封筒型袋を活かし、現在、お札袋用に用いている薄い厚みの白色の紙で製造し、封筒の自動製袋機を用い、製造する事で、従来からのお札袋の薄い紙質で、神棚を生産した方が、生産性に優れ、コストを大幅に節減出来る事が解かった。従い、庶民に便利で経済的にする事で、普及する時間を大幅に短縮出来る事を突き止め、研究を重ねた結果お札袋をそのまま、神棚付きお札袋とすることが良いと言う事が解かり、この事から本発明は、これらの欠点を除くためになされたものである。
【０００４】
【課題が解決するための手段】
お札の形状は、通常、縦位置の長方形である。また、お札を奉る場合の神棚の形状も、お札の形状と同様の縦位置の長方形状で造る事が出来る。従来からのお札を入れる紙袋と、簡易神棚として用いる事の出来る形状は、同一の形状で神棚に用いる袋の形状として問題が無い事が解かった。従来から神社で用いているお札袋と、お札を神棚として奉るお札袋の本体部の形状は、同一の形状で形成出来、且つ、お札袋自身の本体部の袋の表面部には、従来から用いられているお札を入れる袋は、表面に神社の紋章や神社名が書かれ、四角の神社印が朱色の印が捺されたお札袋であり、形状もお札袋と同一である事から、従来型のお札袋形状を生かしその袋の裏面部に神棚としての機能を活かす神殿部（３）を設け、お札袋を製造する際に、同時に神棚を袋の裏面に形成出来る様に構成した構造に設計する事で、課題を解決した。
又、神棚の神殿機能となる、神社の象徴である、鳥居部（３）の形状物をお札袋を製造する際、紙の抜き型を造る際に、全体の構成の中で、鳥居形状の神殿部を入れたデザインで構成し、抜き型で紙を抜き、お札袋裏面中央部に、神棚となる鳥居の神殿部（３）を置く設計にした。その構造で抜き、お札袋の裏面部に鳥居を折込み、お札袋（１）の裏面、中央部に糊ずけして鳥居形状の神殿部（３）を設けた。
お札（４）は、鳥居の神殿部（３）となる鳥居の内側面に差込める様、空間を設けた。更に、鳥居部（３）に、お札を上部より、奉る為に差込みセットする時、お札の文字を読みやすくする鳥居部内に切抜き窓部（６）を開け、お札文字を読みやすくする調節窓部（６）を設けた。
お札が容易に抜きさし出来る空間部を鳥居（３）の内面に設ける事により、鳥居部（３）の上部よりお札（４）を差込む事が出来、お札を奉る事が出来る。神社がお札を販売する際に、神社は従来通りにお札（４）をお札袋本体部（１）内に入れ、参拝者が購入し、お札の入った神棚付きお札袋を、家や、会社や、お店等に持ち帰った後に、お札を飾る際にお札袋（１）からお札（４）を取り出し、お札袋裏面に設けた神殿部の鳥居部（３）の鳥居の上部から、袋から取り出したお札（４）を上部より差込み、お札を鳥居（３）内に奉る事が出来る神棚となる。また、お札袋の袋の上部に設けた、吊り穴を利用して、部屋の柱や壁に掛ける事か出来る。
本発明は、以上のような構造で構成する神棚付きお札袋である。
【０００５】
【発明の実施の形態】
以下、本発明の実施例の形態を説明する。
お札袋本体部（１）の裏面部に、神棚の神殿に当たる、鳥居（３）を設け、鳥居（３）の内側部にお札（４）が奉れる空間部を設ける。又、お札袋本体部（１）の上部に神社の屋根部（７）を設け、又、吊り穴（５）を設けた。
以上の如く、お札袋（１）の裏面を、神棚とする神殿部を設けて、お札を奉る事が出来る神棚付きお札袋である。
本発明は、以上の様な構造で、これを使用する時は、神社でお札を購入する参拝者が、神棚付きお札袋に入ったお札を家や職場等に持ちかえり、お札を奉る際に、まず、袋（１）よりお札（４）を取り出して、袋の裏面に貼り付けセットされた神殿の鳥居部（３）がある。鳥居部（３）の上部より、簡単にお札を入れセットし、奉る事が出来る。
鳥居（３）の図形の中に、窓穴を開けてあり、神社名や紋章  等が書かれたお札の表面の文字等が、飾った際に、お札袋の文字が読みやすい状態にアジャスト出来る様に成っているので調整し、お札をセットする。
お札袋は、壁や柱の釘等に神棚側の面を、表にし、神棚付きお札袋を吊る。従い、どんな場所にも、手軽に簡易神棚として、神棚付きお札袋を使用する事が出来る。
【０００６】
【発明の効果】
神棚付きお札袋にする事で、神社に初詣や御祭りの時参拝し、お札を購入しても、今までの様に、神棚が無く、奉るところが無い事から、壁や柱に画鋲や糊でお札を貼る必要がなくなる。しかも、これからは、和室があり、特別に、神棚を購入する事の出来る人は別にして、今日全国の家庭の半数に神棚が無いと言はれている事から、この神棚付きお札袋とする事に依って、神棚の普及が大きく変わる事が出来る。
毎年必要とするお札の数と同様に、神棚付きお札袋にする事で、神棚不足を１日も早く解消出来る効果がある。しかも、お札袋は昔から、全国の神社でお札を入れる袋として用いられて、お札を入れる袋としてのみとする生き方をして来たが、今後は、神棚付きお札袋に変え多少の袋の加工費が掛かる程度で、機械量産が出来る事から、今までのお札袋を造る金額に近い金額で生産出来る。その為、神社も今まで同様の袋の購入価格に近い価格で、且つ、お札を入れる、従来からの作業だけで神社の負担が少なく、参拝者にも金額での大きな負担がかからず、社会に普及を早め、大いに役立つと考える。
以上の事から、全国の神社で初詣やお祭り等の時や、各種の行事の際に参拝者に、お札袋に新たに付いた神棚付きお札袋として普及出来、全国の家庭でお札が大切に奉られる様に成る。
【図面の簡単な説明】
【図１】本発明の神棚付きお札袋の組立前、平面図である。
【図２】お札袋本体部の裏面の展開図である。
【図３】お札袋本体部の表面図である。
【図４】お札袋本体部裏面の神棚と成る側の鳥居部で、袋状に形成する際に紙を内側に折込み、鳥居を接着した状態を表した裏面図。
【図５】お札袋本体部の表面と、屋根部、及び、お札を袋に入れる事を表す袋の
表面参考図。
【図６】お札袋本体部の裏面の家庭等で神棚に組立て、使用する際の状態を示す
、神棚側裏面の参考図。
【図７】お札袋本体部の裏面の家庭等で神棚に組立完了し屋根部をセットした状
態を示す、神棚側袋裏面の参考図。
【図８】お札袋本体部の裏面の家庭等で神棚に組立て、使用する際、屋根部を除
き、柱、壁に吊る、吊り穴を示す、神棚側裏面の参考図。
【符号の説明】
１  お札袋本体部
２  糊しろ部
３  鳥居部
４  お札
５  吊り穴
６  鳥居内切抜き窓部
７  屋根部
【図１】
2004208988.tif 000003
【図２】
2004208988.tif 000004
【図３】
2004208988.tif 000005
【図４】
2004208988.tif 000006
【図５】
2004208988.tif 000007
【図６】
2004208988.tif 000008
【図７】
2004208988.tif 000009
【図８】
2004208988.tif 000010